(57)【要約】【課題】椅子に取り付けるだけで、椅子に座った使用者の筋肉を刺激して、筋肉の緊張や疲労を緩和するマッサージシートを提供すること。【解決手段】椅子Ａの座面ａ及び/または背もたれ面に重ねて設置可能な可撓性シート部２の表面に、複数のマッサージ用突起３が形成されている。マッサージ用突起３は縦横に整列して形成するとよい。マッサージ用突起３の列の間において、可撓性シート部２に溝を形成することもでき、可撓性シート部２に複数の貫通孔を形成することも可能である。【選択図】図３
0003227773.tif 000002
【実用新案登録請求の範囲】
【請求項１】
椅子の座面及び/または背もたれ面に重ねて設置可能な可撓性シート部の表面に、複数のマッサージ用突起が形成されていることを特徴とするマッサージシート。
【請求項２】
前記可撓性シート部は椅子の座面に重ねて設置可能であり、前記可撓性シート部の表面において、使用者の臀部を載せる部分には前記マッサージ用突起が形成されておらず、太腿を載せる部分に前記マッサージ用突起が形成されていることを特徴とする請求項１に記載のマッサージシート。
【請求項３】
前記マッサージ用突起が縦横に整列して形成されていることを特徴とする請求項１又は請求項２に記載のマッサージシート。
【請求項４】
前記可撓性シート部において前記マッサージ用突起の列の間を通る溝が形成されていることを特徴とする請求項３に記載のマッサージシート。
【請求項５】
前記可撓性シート部に貫通孔が形成されていることを特徴とする請求項１乃至請求項４のうちいずれか１項に記載のマッサージシート。
【請求項６】
外観が淡色であることを特徴とする請求項１乃至請求項５のうちいずれか１項に記載のマッサージシート。
【請求項７】
前記マッサージ用突起が前記可撓性シート部より硬いことを特徴とする請求項１乃至請求項６のうちいずれか１項に記載のマッサージシート。
【請求項８】
前記マッサージ用突起の前記可撓性シート部からの高さは、使用者が使用時に前記マッサージ用突起に体重をかけた際に、前記可撓性シート部に届かない程度の高さとなっていることを特徴とする請求項１乃至請求項７のうちいずれか１項に記載のマッサージシート。
【考案の詳細な説明】
【技術分野】
【０００１】
本考案は、自動車用座席等の椅子の座面や背もたれ面に重ねて設置し、椅子に座った使用者の筋肉を刺激して疲労やストレスを低減させるマッサージシートに関する。
【背景技術】
【０００２】
自動車の運転や事務作業などをはじめとして長時間椅子に座った状態を継続すると、筋肉の緊張や疲労が蓄積しやすく、精神的なストレスの原因ともなる。
従来、このような筋肉の緊張や疲労を緩和するために、指圧や手揉み、整体によって筋肉を刺激することが行われていた。しかし、指圧や手揉み、整体のような施術は、運転や事務作業を行ないながら受けることはできない。
【０００３】
また、椅子の内部に組み込んだ突起を振動或いは移動させて、筋肉を刺激するマッサージチェアも知られているが、マッサージチェアは、構造が複雑で価格も高く、しかも、事務作業や自動車の運転を行なう際に座る椅子としては不適当である。
【考案の概要】
【考案が解決しようとする課題】
【０００４】
本考案が解決しようとする課題は、椅子に取り付けるだけで、椅子に座った使用者の筋肉を刺激して、筋肉の緊張や疲労を緩和するマッサージシートを提供することにある。
【課題を解決するための手段】
【０００５】
本願請求項１に係る考案は、椅子の座面及び/または背もたれ面に重ねて設置可能な可撓性シート部の表面に、複数のマッサージ用突起が形成されていることを特徴とするマッサージシートである。
【０００６】
本願請求項２に係る考案は、前記可撓性シート部は椅子の座面に重ねて設置可能であり、前記可撓性シート部の表面において、使用者の臀部を載せる部分には前記マッサージ用突起が形成されておらず、太腿を載せる部分に前記マッサージ用突起が形成されていることを特徴とする請求項１に記載のマッサージシートである。
【０００７】
本願請求項３に係る考案は、前記マッサージ用突起が縦横に整列して形成されていることを特徴とする請求項１又は請求項２に記載のマッサージシートである。
【０００８】
本願請求項４に係る考案は、前記可撓性シート部において前記マッサージ用突起の列の間を通る溝が形成されていることを特徴とする請求項３に記載のマッサージシートである。
【０００９】
本願請求項５に係る考案は、前記可撓性シート部に貫通孔が形成されていることを特徴とする請求項１乃至請求項４のうちいずれか１項に記載のマッサージシートである。
【００１０】
本願請求項６に係る考案は、外観が淡色であることを特徴とする請求項１乃至請求項５のうちいずれか１項に記載のマッサージシートである。
【００１１】
本願請求項７に係る考案は、前記マッサージ用突起が前記可撓性シート部より硬いことを特徴とする請求項１乃至請求項６のうちいずれか１項に記載のマッサージシートである。
【００１２】
本願請求項８に係る考案は、前記マッサージ用突起の前記可撓性シート部からの高さは、使用者が使用時に前記マッサージ用突起に体重をかけた際に、前記可能性シート部に届かない程度の高さとなっていることを特徴とする請求項１乃至請求項７のうちいずれか１項に記載のマッサージシートである。
【考案の効果】
【００１３】
本考案のマッサージシートは、椅子の座面及び/または背もたれ面に重ねて設置可能な可撓性シート部の表面に、複数のマッサージ用突起が形成されているので、構造が簡単であり、椅子に配置するだけで、椅子に座った使用者の臀部や背中の筋肉をマッサージ用突起で刺激し、筋肉の緊張や疲労を緩和することができる。
【００１４】
加えて、可撓性シート部が椅子の座面に重ねて設置可能である場合、可撓性シート部の表面において、使用者の臀部を載せる部分にマッサージ用突起が形成されておらず、太腿を載せる部分にマッサージ用突起が形成されているので、長時間座っても臀部が痛くなることがなく、自動車の運転等で疲労した太腿の裏に対するマッサージ効果を発揮できる。
【００１５】
加えて、マッサージ用突起を縦横に整列して形成することにより、マッサージ用突起の列の間にゴミを落としても、ホウキなどでの清掃をし易く、簡単にゴミを除去できる。
【００１６】
加えて、可撓性シート部においてマッサージ用突起の列の間を通る溝が形成されていれれば、可撓性シート部が折り曲げやすくなり、使用しない時にはかさばらないよう細く巻いて収納することができる。
【００１７】
加えて、可撓性シート部に複数の貫通孔を形成すると、軽くなって取り扱いが容易となり、さらに通気性も高まる。
【００１８】
加えて、淡色の外観とすることにより、日光によって熱が上昇しにくくなり夏季に自動車内に長時間放置しても、熱くなりすぎるのを防止できる。
【００１９】
加えて、マッサージ用突起を可撓性シート部より硬くすれば、筋肉を強く刺激してマッサージ効果が高まる。
【００２０】
加えて、マッサージ用突起の可撓性シート部からの高さは、使用者が使用時にマッサージ用突起に体重をかけた際に、可能性シート部に届かない程度の高さとしているので、通気性を確保することができる。
【図面の簡単な説明】
【００２１】
【図１】本考案の第１の実施形態を示すマッサージシートの平面図である。
【図２】本考案の第１の実施形態を示すマッサージシートの断面図である。
【図３】本考案の第１の実施形態を示すマッサージシートの使用状態における斜視図である。
【図４】本考案の第２の実施形態を示すマッサージシートの平面図である。
【図５】本考案の第３の実施形態を示すマッサージシートの平面図である。
【図６】本考案の第３の実施形態を示すマッサージシートの断面図である。
【図７】本考案の第４の実施形態を示すマッサージシートの平面図である。
【図８】本考案の第４の実施形態を示すマッサージシートの断面図である。
【考案を実施するための形態】
【００２２】
以下、本考案の実施形態を、図面を参照する等して詳細に説明する。なお、本考案は、実施形態に限定されないことはいうまでもない。
【００２３】
［第１の実施形態］
本考案の第１の実施形態を図１乃至図３に基づいて説明する。
図１は、マッサージシートの平面図、図２は、マッサージシートの断面図、図３は、マッサージシートの使用状態における斜視図である。
【００２４】
第１の実施形態において、マッサージシート１は、シリコンゴムで一体成形されている。マッサージシート１がシリコンゴムで形成されてるので、自動車用座席の椅子に設置しても滑りづらい。シリコンゴム以外の他の合成樹脂等の柔軟な素材を一体成形して形成されても良い。また、柔軟な素材であるので、自動車用座席の椅子の形状にあわせて設置できる。
マッサージシート１は、図１及び図２に示すように、可撓性シート部２と、可撓性シート部２の表面に形成された複数のマッサージ用突起３とを備える。
マッサージシート１の外観は、白、銀色等の光を反射しやすい淡色であり、日光によって熱が上昇しにくくなり夏季に自動車内に長時間放置しても、熱くなりすぎるのを防止できるようになっている。
【００２５】
可撓性シート部２は、図３に示すように、自動車用座席等の椅子Ａの座面ａに重ねて設置可能であり、座面ａの寸法及び形状に合わせた寸法・形状（本実施形態では、縦横それぞれ４０ｍｍ〜４５ｍｍの略台形状）としてある。
また、可撓性シート部２の厚みは、５ｍｍ〜１０ｍｍとするが、可撓性シート部２の硬さや、座面ａのクッション性に応じて適宜変更可能である。
【００２６】
マッサージ用突起３は、マッサージシート１上に座った使用者に痛みを与えないよう、先端が球面を備えた柱状となっており（図２）、直径１８ｍｍ〜２０ｍｍ、高さ１２ｍｍ〜１３ｍｍとしている。
図１に示すように、マッサージ用突起３は、使用者の臀部が接しない後端部を除いて可撓性シート部２の表面に形成され、縦横に整列される。なお、この後端部を背もたれと座面ａとの境に挟み込んで固定させることもできる。
本実施形態では、マッサージ用突起３は縦方向に等間隔で７個、横方向に等間隔で７個配置されるが、可撓性シート部２の四隅部には使用者の臀部や太ももが載ることが少ないので、前後両端及び左右両端の列はそれぞれ５個とし、合計４５個のマッサージ用突起３が配置される。
【００２７】
マッサージ用突起３の寸法及び間隔をこの程度にすると、使用者の筋肉に適度な刺激を与えながら、使用者の臀部と可撓性シート部２との間に隙間が形成されて、通気性を確保できる。すなわち、マッサージ用突起３の可撓性シート部２からの高さは、使用者が使用時にマッサージ用突起３に体重をかけた際に、可撓性シート部２に届かない程度の高さとなっているので、隙間が形成されて通気性を確保することができる。
また、マッサージ用突起３は縦横に整列しているので、マッサージ用突起３の間に形成された隙間を拭うだけで、多数のマッサージ用突起３が形成された可撓性シート部２の表面の汚れを簡単に除去できる。
【００２８】
マッサージシート１を、マッサージ用突起３を上に向けて椅子Ａの座面ａに重ね、マッサージシート１の上に座ると、使用者の体重によってマッサージ用突起３が使用者の臀部及び太腿の裏を押圧し、事務作業や運転を長時間続けても筋肉が疲労しにくい。
特に、マッサージシート１を自動車用座席に取り付けると、使用者の体重や運転時に走行する自動車の振動によってマッサージ用突起３が筋肉を強く刺激し、マッサージ効果が高まる。
【００２９】
［第２の実施形態］
本考案の第２の実施形態について図４と共に説明する。なお、第１の実施形態と同様の部分については説明を省略し、主に異なる部分について説明する。
【００３０】
第２の実施形態では、可撓性シート部２の表面において、使用者の臀部を載せる部分にはマッサージ用突起３を形成せずに、太腿を載せる部分、すなわち前端部にマッサージ用突起３を２列程度形成してある。
【００３１】
本実施形態のマッサージシート１は、可撓性シート部２の臀部を載せる部分にマッサージ用突起３がないので、長時間マッサージシート１上に座っていても臀部が痛くなることはなく、太腿を載せる部分に形成したマッサージ用突起３が太腿の裏を刺激して、運転等を続けた時にも太腿の疲労を緩和することができる。
【００３２】
［第３の実施形態］
以下、本考案の第３の実施形態を図５及び図６と共に説明する。なお、第１の実施形態と同様の部分については説明を省略し、主に異なる部分について説明する。
【００３３】
第３の実施形態は、可撓性シート部２の表面において、マッサージ用突起３の縦横の列間にそれぞれ溝４を形成した点で、第１の実施形態と相違している。溝４は、直線状で可撓性シート部２においてマッサージ用突起３の列の間を通るように配置されている。
可撓性シート部２は溝４が形成されているので折り曲げやすく、マッサージシート１を使用しない時は、嵩張らないよう細く巻いて収納することができる。
【００３４】
［第４の実施形態］
本考案の第４の実施形態を図７及び図８と共に説明する。第１の実施形態と同様の部分については説明を省略し、主に異なる部分について説明する。
【００３５】
第４の実施形態では、マッサージ用突起３が形成されていない部分において、可撓性シート部２に複数の貫通孔５が形成されている。
本実施形態では、貫通孔５は、円形であり、マッサージ用突起３の縦列と横列で囲まれたすべての升目部分に形成される。
可撓性シート部２に貫通孔５を形成したことにより、マッサージシート１の重量が軽くなり、通気性が良好となる。
【００３６】
［その他の変形例］
本考案は上記の実施形態に限定されるものではない。例えば以下のようなものも含まれる。
【００３７】
上記実施形態では、可撓性シート部を略台形状としてあるが、矩形、円形等の他の形状としてもよい。
【００３８】
上記実施形態では、マッサージシートを椅子の座面に重ねてあるが、背もたれ面に重ねてもよいし、可撓性シート部の縦寸法を長くして、背もたれ面から座面にわたって重ねるようにすることもできる。
【００３９】
マッサージ用突起の数は、可撓性シート部の大きさや形状によって適宜変更することが可能である。
【００４０】
第３の実施形態では、可撓性シート部の表面に縦横に溝が形成されているが、縦方向のみ、或いは、横方のみに溝を形成することもできる。また、可撓性シート部の裏面に溝を形成してもよく、この場合もマッサージ用突起の間に設けるようにする。
【００４１】
第４の実施形態では、円形の貫通孔をマッサージ用突起の縦列と横列で囲まれたすべての升目部分に形成してあるが、貫通孔の形状および数は適宜変更可能である。また、貫通孔は、マッサージ用突起の存在する範囲に設けられていたが、これに限られず、可撓性シート部の全体にわたって設けられていても良い。また、可撓性シート部の一部又は全体をメッシュ状としたものも本考案の貫通孔が形成された可撓性シート部に相当する。
【００４２】
マッサージ用突起と可撓性シート部を同じ硬度としてもよいが、マッサージ用突起を可撓性シート部よりも硬くするとマッサージ効果が高まる。
【００４３】
本実施形態では、マッサージシート１がシリコンゴムで形成されているので、自動車用座席の椅子に設置しても滑りづらいが、これに代えて又はこれに加えて可撓性シート部の裏面に滑り止め用の細かい凹凸を形成することもできる。
【００４４】
可撓性シート部に、椅子に取り付けるための紐等の取付具を設けることも可能である。
【００４５】
いずれの実施形態における各技術的事項を他の実施形態に適用して実施例としても良い。
【符号の説明】
【００４６】
１    マッサージシート
２    可撓性シート部
３    マッサージ用突起
４    溝
５    貫通孔
Ａ    椅子
ａ    座面
【図１】
0003227773.tif 000003
【図２】
0003227773.tif 000004
【図３】
0003227773.tif 000005
【図４】
0003227773.tif 000006
【図５】
0003227773.tif 000007
【図６】
0003227773.tif 000008
【図７】
0003227773.tif 000009
【図８】
0003227773.tif 000010